(57)【特許請求の範囲】
【請求項１】
開口部の上枠に設けられたガイドレールと、
一対の戸パネルの互いに近接する内端側同士を回動自在に連結して折り畳み開閉可能に構成され、且つ前記開口部内に開閉可能に配置される折戸と、
前記戸パネルの外端側上部に取り付けられ、該戸パネルを回動自在に吊持する軸部を備えると共に、前記ガイドレールに沿って移動することにより前記折戸を折り畳み可能に吊持する吊持部材と、
前記折戸を開閉する際に掴持される略Ｌ字状の取手とで構成された折戸構造であって、
前記略Ｌ字状の取手が、前記戸パネル表面における吊持部材の軸部の軸線よりも外端側に突設された短尺の基部と、前記基部の先端に取り付けられ、前記吊持部材の軸部の軸線を越えるように前記戸パネルの内端側に向けて前記戸パネル表面に略平行するよう水平に延ばされた長尺の掴持部とで構成されていることを特徴とする折戸構造。
【発明の詳細な説明】
【技術分野】
【０００１】
本発明は、例えばクローゼット等の扉や間仕切り等に使用される折戸構造に関する。
【背景技術】
【０００２】
従来、クローゼットなどの収納や間仕切り等に使用される折戸構造として、例えば、図８及び９に示す構造のものが知られている。かかる折戸構造１は、大略、開口部２の上枠２ａに設けられるガイドレール３と、一対の戸パネル４ａの互いに対向する水平方向内端側同士を蝶番５などの連結部材で回動自在に連結して折り畳み可能とし、且つ開口部２内に開閉可能に配置される折戸４と、戸パネル４ａの水平方向外端側上部に取り付けられ、該戸パネル４ａを回動自在に吊持する軸部を備えると共に、ガイドレール３に沿って移動することにより折戸４を折り畳み可能に吊持する上吊車６と、折戸４を開閉する際に掴持される取手７とで構成されている。
【０００３】
そして、折戸構造１における取手７の取り付け位置に関して、例えば、図８に示すように、折戸４を開閉操作する取手７を、戸パネル４ａ表面の中央部に取り付けたもの（例えば、特許文献１参照）や、図９に示すように、戸パネル４ａの水平方向内端(連結側端部)側に取り付けたもの（例えば、特許文献２参照）などが知られている。かかる折戸構造１では、このような取手７を用いることにより、折戸４の開閉を簡便に行なうことができる。
【特許文献１】特開平０８−８６１３９号公報
【特許文献２】特開平１０−２９９２９９号公報
【発明の開示】
【発明が解決しようとする課題】
【０００４】
しかしながら、上述の従来の折戸構造１では、両者とも取手７の取り付け位置がガイドレール３を移動する上吊車６の軸部の軸線Ｌ１から大きく離間しているので、折戸４を折り畳むべく、取手７を掴んで戸パネル４ａの外端側をガイドレール３に沿って水平移動させる際に、戸パネル４ａの移動をスムーズに行うのが困難であると云う問題があった。
【０００５】
また、後者のように取手７が戸パネル１の内端側縁部近傍に設けられているものでは、折戸１４を閉める際に、戸パネル４ａ間で手指を挟む恐れがあった。
【０００６】
それゆえ、本発明の主たる課題は、戸パネルをスムーズに移動させることができ、しかも安全に閉操作することが可能な折戸構造を提供することである。
【課題を解決するための手段】
【０００７】
請求項１に記載した発明は、
(1)開口部Ｏの上枠１８に設けられたガイドレール２２と、
(2)一対の戸パネル２６の互いに近接する内端側同士を回動自在に連結して折り畳み開閉可能に構成され、且つ開口部Ｏ内に開閉可能に配置された折戸１２と、
(3)戸パネル２６の外端側上部に取り付けられ、該戸パネル２６を回動自在に吊持する軸部３４を備えると共に、ガイドレール２２に沿って移動することにより折戸１２を折り畳み開閉可能に吊持する吊持部材１４と、
(4)折戸１２を開閉する際に掴持される略Ｌ字状の取手５０とで構成された折戸構造１０であって、
(5)略Ｌ字状の取手５０が、
戸パネル２６表面における吊持部材１４の軸部３４の軸線Ｌ１よりも外端側に突設された短尺の基部５２と、
基部５２の先端に取り付けられ、吊持部材１４の軸部３４の軸線Ｌ１を越えるように戸パネル２６の内端側に向けて戸パネル２６表面に略平行するよう水平に延ばされた長尺の掴持部５４とで構成されている、
ことを特徴とする折戸構造１０である。
【０００８】
本発明の折戸構造１０では、戸パネル２６に対して力を作用させる取手５０の戸パネル２６表面における取り付け位置αが、吊持部材１４における回動中心となる軸部３４の軸線Ｌ１よりも戸パネル２６の外端側に配置されている。つまり、上述した従来の折戸構造１に比べて、取手５０の取り付け位置α(換言すれば、取手５０を介して戸パネル２６に与えられる力の作用点)がガイドレール２２を移動する吊持部材１４の軸部３４の軸線Ｌ１に極めて近い位置に設けられている。このため、折戸開閉時における戸パネル２６外端側の水平移動をより小さな力でスムーズに行なうことができる。
【０００９】
また、取手５０を戸パネル２６の内端側近傍に設けていないため、折戸１２を開閉する際に一対の戸パネル２６の間で手指を挟む心配もない。
【００１１】
加えて、上述した従来の折戸構造１では、取手７が上吊車６の軸部の軸線Ｌ１よりも戸パネル４ａの内端側(連結端側)に取り付けられているため、操作者が取手７を掴んで折戸４を開くためには、取手７を掴んだ手の手首をひねりながら手前(操作者側)に引くと云う動作をしなければならず、特に高齢者や子供等にとっては折戸４の開操作が困難であると云う問題もあった。
【００１２】
これに対し、この発明では、取手５０の基部５２の先端に、吊持部材１４の軸部３４の軸線Ｌ１を越えるように戸パネル２６の内端側に向けて戸パネル２６表面に略平行するよう水平に延ばされた長尺の掴持部５４が取り付けられているので、折戸１２を開操作する際、操作者は先ず取手５０の掴持部５４を掴みこれを手前(操作者)側に引く。すると、該戸パネル２６に吊持部材１４の軸部３４の軸線Ｌ１を回転中心とする回転モーメントが発生して戸パネル２６が開動作を開始する。従って、従来の折戸構造１のように、折戸の開操作開始時に取手７を掴んだ手の手首をひねりながら手前(操作者側)に引くと云った動作をする必要がなく(換言すれば、操作者に無理な操作を強いることなく)、比較的小さな力で操作性よく折戸１２の開動作を開始させることができる。
【発明の効果】
【００１３】
本発明によれば、折戸開閉時における戸パネル外端側の水平移動をより小さな力でスムーズに行なうことができる。又、折戸を開閉する際に一対の戸パネルの間で手指を挟む心配もない。
【００１４】
したがって、戸パネルをスムーズに移動させることができ、しかも安全に閉操作することが可能な折戸構造を提供することができる。
【発明を実施するための最良の形態】
【００１５】
以下、本発明を図示実施例に従って詳述する。図１は、本発明が適用された折戸構造１０の全体を示す斜視図であり、図２は、図１におけるＡ−Ａ線断面図である。また、図３は、図２と同じ位置の断面図であって、折戸１２を完全に閉めた状態を示したものである。
【００１６】
折戸構造１０は、図１および図２に示すように、大略、クローゼットや部屋の壁等に設けられた開口部Ｏを開閉する折戸１２とこの折戸１２を開口部Ｏにて開閉自在に吊持する吊持部材１４とで構成されている。
【００１７】
折戸構造１０が設けられる開口部Ｏは、左右一対の縦枠１６と、これら縦枠１６の上端部間に架設された上枠１８と、下端部間に架設された下枠２０とによって方形に区画された空間である。
【００１８】
開口部Ｏを構成する上枠１８の下面には、長手方向に延びる凹溝１８ａが設けられており、該凹溝１８ａには、アルミニウム合金などの金属材料或いは樹脂材料等を、押出成形などの公知の方法で成形したガイドレール２２が取り付けられている。このガイドレール２２は、後述する吊持部材１４を長手方向にて走行可能に収容し、且つこれを支持する形状(具体的には、図１に示す例の場合、略Ｃ字状の幅方向断面を有する形状)に成形されている。
【００１９】
また、開口部Ｏを構成する下枠２０の上面には、上記凹溝１８ａに相対向する位置に、長手方向に延びる凹溝２０ａが設けられており、この凹溝２０ａには、アルミニウム合金などの金属材料或いは樹脂材料等を、押出成形などの公知の方法で成形したガイドレール２４が取り付けられている。このガイドレール２４は、後述するガイド部材３０を長手方向にて走行可能に収容し、且つこれを支持する形状に成形されている。
【００２０】
なお、図１乃至３に示す実施例では、開口部Ｏが、左右一対の縦枠１６と上枠１８及び下枠２０とで構成された四方枠構造のものを示しているが、この開口部Ｏは、(図示しないが)下枠を有さない三方枠構造のものであってもよい。この場合、下枠が設けられない以上、ガイドレール２４(及び後述するガイド部材３０)を具備しないのは云うまでもない。
【００２１】
折戸１２は、一対の戸パネル２６の(水平方向における)内端側同士を複数個の連結部材２８(具体的には蝶番など)で回動可能に連結して構成されている。この折戸１２を構成する戸パネル２６の種類は、特に限定されるものではなく、四周枠体の表裏両面に面材を粘着したフラッシュ構造のものや、板材を削りだしたベタ芯のもの等を用いることができる。又、戸パネル２６の表面には、必要に応じて、合成樹脂化粧シート、化粧紙、突板などの化粧材を粘着してもよいし、更にその上に合成樹脂塗料を塗布するようにしてもよい。
【００２２】
そして、各戸パネル２６の(水平方向における)外端側の上部には、吊持部材１４を取り付けるための切欠部２６ａが設けられており、又、戸パネル２６の外端側の下面には、ガイドレール２４に係合して戸パネル２６の水平移動を案内するガイド部材３０を取り付けるための取付穴２６ｂが穿設されている。
【００２３】
吊持部材１４は、戸パネル２６の切欠部２６ａに嵌着されるインナーブロック３２と、このインナーブロック３２の上部に回転可能に取り付けられた軸部３４と、この軸部３４の上部に取着されたローラホルダ３６と、このローラホルダ３６の両側に回転可能に取り付けられ、ガイドレール２２内を走行する複数のローラ３８とで構成された所謂「上吊車」である。なお、この吊持部材１４は、前記上吊車に限定されるものではなく、戸パネル２６を水平方向にて回動自在に吊持する軸部３４を備え、ガイドレール２２に沿って移動することにより折戸１２を折り畳み可能に吊持できるものであれば如何なるものであってもよい。
【００２４】
ガイド部材３０は、戸パネル２６の取付穴２６ｂに嵌着される円筒状のケーシング４０と、このケーシング４０の下面にて突出没入するロッド４２と、このロッド４２の下端部に設けられ、ガイドレール２４に形成された溝２４ａに沿って摺動する摺動部４４とで構成されている。
【００２５】
ここで、本実施例では、図１に示すように、上述した吊持部材１４の軸部３４の軸線Ｌ１と、このガイド部材３０のロッド４２の中心軸とが一致するようにして当該吊持部材１４及びガイド部材３０が戸パネル２６に取り付けられている。
【００２６】
また、図２に示すように、下枠２０に取り付けられたガイドレール２４の長手方向一方端部(図２に示す例の場合、左端部)には、ガイド部材３０のロッド４２を回転可能に把持する仮固定ストッパ４６が取り付けられている。このような仮固定ストッパ４６を取り付け、一方の戸パネル２６(図２に示す例の場合、左側のもの)の外端側がガイドレール２４上をスライドできないように固定することにより、他方の戸パネル２６(図２に示す例の場合、右側のもの)の外端側が、開口部Ｏを開閉する開閉端となる。そして、開閉端となる戸パネル２６の外端側には、折戸１２を開閉する際に掴持される取手５０が取り付けられている。
【００２７】
取手５０は、亜鉛合金やアルミニウム合金などの金属或いは樹脂等の硬質材料で形成された略Ｌ字状の部材で、戸パネル２６表面における吊持部材１４の軸部３４の軸線Ｌ１よりも外端(開閉端)側に突設された短尺の基部５２と、基部５２の先端に取り付けられ、戸パネル２６の水平方向内端側に向けて吊持部材１４の軸部３４の軸線Ｌ１を越え、且つ戸パネル２６表面に略平行するよう水平に延ばされた長尺の掴持部５４とを有する。
【００２８】
次に、以上のように構成された折戸構造１０の作用について説明する。本発明に係る折戸１２を開操作する際には、まず始めに、図４(a)に示すように、操作者Ｐは取手５０の掴持部５４を掴んで手前(操作者側)に引く。すると、該戸パネル２６に吊持部材１４の軸部３４の軸線Ｌ１を回転中心とする回転モーメントが発生し、戸パネル２６が開動作を開始する。
【００２９】
そして、取手５０を掴んだまま、図４(b)に示すように、戸パネル２６の外端(開閉端)側をガイドレール２４(或いは、図示しないガイドレール２２)に沿って移動させ、一対の戸パネル２６の背面同士を折り重ねることによって折戸１２の開操作が完了する。
【００３０】
一方、折戸１２を閉操作する場合には、上記と逆の操作をすればよい。すなわち、図５(a)に示すように、操作者Ｐは取手５０の掴持部５４を掴み、これをガイドレール２４(或いは、図示しないガイドレール２２)に沿って引張り、戸パネル２６の外端(開閉端)側をガイドレール２２に沿って開口部Ｏを閉める方向に移動させる。
【００３１】
そして、戸パネル２６の横方向への移動が頭打ちとなったところで、図５(b)に示すように、取手５０(より具体的には掴持部５４)を戸パネル２６に向けて押すと一対の戸パネル２６が完全に面一となって開口部Ｏを塞ぎ、折戸１２の閉操作が完了する。
【００３２】
繰り返しになるが、本実施例の折戸構造１０によれば、比較的小さな力で操作性よく折戸１２の開動作を開始させることができる。又、折戸１２開閉時における戸パネル２６外端側の水平移動をより小さな力でスムーズに行なうことができる。更に、折戸１２を開閉する際に一対の戸パネル２６の間で手指を挟む心配もない。
【００３３】
なお、上述の実施例では、一対の戸パネル２６で構成された１つの折戸１２で開口部Ｏを開閉するようにしているが、図６に示すように、開口部Ｏを２つの折戸１２で開閉するような構造であってもよい。
【００３４】
また、取手５０として、略Ｌ字状のものを用いる場合を示したが、この取手５０は、折戸１２の開閉時に戸パネル２６に対して力を作用させる取手５０の戸パネル２６表面における取り付け位置αが、吊持部材１４における回動中心となる軸部３４の軸線Ｌ１よりも戸パネル２６の水平方向外端側に配置されているものであれば如何なるものであってもよく、例えば、図７(a)に示すように略コ字状のものや、図７(b)に示すように突起状のものであってもよい。但し、上述の実施例のように、取手５０を掴持部５４の先端が開放された略Ｌ字状に形成したものであれば、手指の出し入れが容易となり、取手５０をつかんで操作する際に、取手５０や戸パネル２６に不所望に手指をぶつけるのを防止することができる。
【図面の簡単な説明】
【００３５】
【図１】本発明の一実施例の折戸構造を示す斜視図である。
【図２】図１におけるＡ−Ａ線断面図である。
【図３】図２で示した折戸構造において折戸を完全に閉めた状態を示す断面図である。
【図４】本発明の一実施例の折戸構造における開操作のプロセスを示す説明図である。
【図５】本発明の一実施例の折戸構造における閉操作のプロセスを示す説明図である。
【図６】本発明の他の実施例の折戸構造を示す正面図である。
【図７】本発明の他の実施例の折戸構造を示す斜視図である。
【図８】従来の折戸構造の一例(取手位置が中央にある例)を示す正面図である。
【図９】従来の折戸構造の一例(取手位置が連結部近傍にある例)を示す斜視図である。
【符号の説明】
【００３６】
１０…折戸構造6
１２…折戸68
１４…吊持部材
１８…上枠
２２…ガイドレール
２６…戸パネル
２８…連結部材
３２…インナーブロック
３４…軸部
３６…ローラホルダ
３８…ローラ
５０…取手
５２…基部
５４…掴持部
Ｏ…開口部
Ｌ１…(軸部３４の)軸線
α…取手の取り付け位置
【図１】
0005450977.tif 000002
【図２】
0005450977.tif 000003
【図３】
0005450977.tif 000004
【図４】
0005450977.tif 000005
【図５】
0005450977.tif 000006
【図６】
0005450977.tif 000007
【図７】
0005450977.tif 000008
【図８】
0005450977.tif 000009
【図９】
0005450977.tif 000010